(57)【要約】【課題】アドレスの登録（入力）作業を軽減することができるインターネットファクシミリ装置を提供する。【解決手段】読み取った文書を文書ファイルとしてメールに添付し、送信する送信手段を有し、予めユーザが宛先であるメールアドレスを登録できる宛先登録機能を有するインターネットファクシミリ装置において、選択された宛先の文字列の最初に所定の符号が存在する場合、その前に入力されている宛先の後ろに当該符号を付加し、メールアドレスを構成する、メールアドレス連結指定機能を有する（機能実現手段としてのシステム制御部７）。【選択図】        図１
2004282181.tif 000002
【特許請求の範囲】
【請求項１】
読み取った文書を文書ファイルとしてメールに添付して送信するファイル送信手段と、予めユーザが宛先であるメールアドレスを登録できる宛先登録機能とを有するインターネットファクシミリ装置において、選択された宛先の文字列の最初に所定の符号が存在する場合、直前に入力されている宛先の後ろに前記所定の符号を付加してメールアドレスを構成するシステム制御手段を備えたことを特徴とするインターネットファクシミリ装置。
【請求項２】
請求項１記載のインターネットファクシミリ装置において、前記システム制御手段は、前記所定の符号が指定された場合、直前に入力されている宛先の後ろに前記所定の符号を付加し、次に選択された宛先を更にその後ろに付加してメールアドレスを構成することを特徴とするインターネットファクシミリ装置。
【請求項３】
請求項１記載のインターネットファクシミリ装置において、前記システム制御手段は、選択された宛先の文字列の後ろに前記所定の符号が存在する場合、次に指定された宛先をその前に指定された宛先の後ろに付加してメールアドレスを構成することを特徴とするインターネットファクシミリ装置。
【発明の詳細な説明】
【０００１】
【発明の属する技術分野】
本発明は、読み取った文書を文書ファイルとしてメールに添付し、送信する送信手段を有し、予めユーザが宛先であるメールアドレスを登録できる宛先登録機能を有するインターネットファクシミリ装置に関する。
【０００２】
【従来の技術】
読み取った文書を文書ファイルとしてメールに添付し、送信する送信手段を有し、予めユーザが宛先であるメールアドレスを登録できる宛先登録機能を有するインターネットファクシミリ装置に関連して、例えば、特許文献１にはその制御方法が示されている。
【特許文献１】特開平１１−１０２３５号公報
【０００３】
【発明が解決しようとする課題】
送信相手先を指定する際、メールアドレスを始めから入力するのは煩雑であり、入力し間違えたら別の宛先に送られてしまうこともある。そのため、アドレスは、予め登録しておく場合がよくある。しかし、多くのアドレスを登録する場合煩雑な作業を必要とする。
本発明はアドレスの登録（入力）作業を軽減することができるインターネットファクシミリ装置を提供することを目的とする。
【０００４】
【課題を解決するための手段】
前記目的を達成するために、請求項１記載の発明は、読み取った文書を文書ファイルとしてメールに添付して送信するファイル送信手段と、予めユーザが宛先であるメールアドレスを登録できる宛先登録機能とを有するインターネットファクシミリ装置において、選択された宛先の文字列の最初に所定の符号が存在する場合、直前に入力されている宛先の後ろに前記所定の符号を付加してメールアドレスを構成するシステム制御手段を備えたことを特徴とする。
請求項２記載の発明は、請求項１記載のインターネットファクシミリ装置において、前記システム制御手段は、前記所定の符号が指定された場合、直前に入力されている宛先の後ろに前記所定の符号を付加し、次に選択された宛先を更にその後ろに付加してメールアドレスを構成することを特徴とする。
請求項３記載の発明は、請求項１記載のインターネットファクシミリ装置において、前記システム制御手段は、選択された宛先の文字列の後ろに前記所定の符号が存在する場合、次に指定された宛先をその前に指定された宛先の後ろに付加してメールアドレスを構成することを特徴とする。
【０００５】
【発明の実施の形態】
以下、添付図面を参照しながら本発明の実施形態を詳細に説明する。
図１は本発明の実施形態に係るインターネットファクシミリ装置のブロック構成図である。図においてスキャナ１は、原稿画像を読み取り画情報を取り出すものである。プロッタ２は、画像を記録紙に記録するものである。符号化復号部３は、ＭＨ方式などの既知の符号化方式により、送信する画情報を符号化にしてデータ圧縮を行う一方、受信した画情報を復号化して元の画情報を再生するものである。
網制御装置４は、電話回線と電話機９が接続されている。そして発着信を行うための回線制御を行う。モデム５は、画情報を変復調して伝送すると共に、伝送制御のための各種手順信号を伝送するものである。操作表示部６は、装置の動作状態を表示する一方、オペレータが各種操作を行うものである。システム制御部７は、上記各部を制御するマイクロコンピュータである。システムバス８は、上記各部が相互間で各種制御信号やデータをやり取りする信号ラインである。
ローカルエリアネットワーク（以下、ＬＡＮと記す）伝送制御部１０は、ＬＡＮ１１を介して、他のデータ端末との間で種々のデータをやり取りするための各種所定のプロトコルスイートの通信制御処理を実行するためのものである。
【０００６】
図２は本発明の実施形態に係るインターネットファクシミリ装置の制御動作を示すフローチャートである。ユーザーが操作表示部６から予め宛先であるメールアドレスを登録してあるワンタッチボタンを押下すると、既に宛先として文字が入力済みであるかのチェックを行う（Ｓ１０１）。既に宛先として文字列が入力済みである場合（Ｓ１０１のｙ）、入力済みの宛先の最後の文字列が“．”であるかのチェックを行う（Ｓ１０２）。
入力済みの宛先の最後の文字列が“．”でない場合（Ｓ１０２のｙ）、入力されたものが“．”であるかのチェックを行う（Ｓ１０３）。入力されたものが”．”である場合（Ｓ１０３のｙ）、“．”を既に入力されている宛先の文字列の最後に付加する（Ｓ１０６）。選択されたものがワンタッチボタンであり、そのワンタッチボタンの宛先文字列の最初の文字が“．”である場合（Ｓ１０７のｙ）、選択されたワンタッチに登録してある宛先文字列を既に入力されている宛先文字列の最後に付加する（Ｓ１０６）。
ワンタッチボタンの宛先文字列の最初の文字が“．”でない場合（Ｓ１０７のｎ）、選択されたワンタッチボタンに登録してある宛先文字列を新規宛先として追加する（Ｓ１０９）。処理Ｓ１０２で入力済みの宛先の最後の文字列が“．”でない場合（Ｓ１０２のｎ）、選択されたワンタッチボタンに登録されてある宛先文字列の最初の文字列が“．”の時（Ｓ１０４のｙ）、選択された宛先が無効であることを表示する（Ｓ１０５）。
処理Ｓ１０２で入力済みの宛先の最後の文字列が“．”でない場合（Ｓ１０２のｎ）で、選択されたワンタッチボタンに登録されてある宛先文字列の最初の文字列が“．”でない時（Ｓ１０４のｎ）、選択されたワンタッチボタンに登録してある宛先文字列を既に入力されている宛先文字列の最後に付加する（Ｓ１０６）。宛先が指定された際に、宛先として何も入力されていない場合（Ｓ１０１のｎ）、選択されたワンタッチボタンの宛先文字列の最初の文字列が“．”かのチェックを行う（Ｓ１０８）。
選択されたワンタッチボタンの宛先文字列の最初が“．”でない場合（Ｓ１０８のｙ）、新規宛先として追加する（Ｓ１０９）。選択されたワンタッチボタンの宛先文字列の最初の文字列が“．”の場合（Ｓ１０８のｎ）、選択された宛先が無効であることを表示する（Ｓ１１０）。なお、宛先の最後が“．”の場合、入力制限制御により“．”単体の入力を禁止する。以上のように動作することにより、メールアドレスの入力がより単純化され、入力ミスを低減させ、操作性が向上する。
【０００７】
【発明の効果】
請求項１記載の発明によれば、選択された宛先の文字列の最初に所定の符号例えば“．”が存在する場合、その前に指定された宛先の後ろにその符号を付加し、メールアドレスを構成する、メールアドレス連結指定機能を有することにより、予め、よく使うドメイン名（例えば．ｒｉｃｏｈ．ｃｏ．ｊｐ）など登録しておくと入力作業を軽減することができ、ユーザーの操作性が向上する。
請求項２記載の発明によれば、所定の符号例えば“．”が指定された場合、その前に選択されている宛先の後ろに“．”を付加し、次に指定された宛先を更にその後ろに付加し、メールアドレスを構成する、メールアドレス連結指定機能を有することにより、よく使う“ｒｉｃｏｈ”、“ｃｏ．ｊｐ”、“ｃｏｍ”などを登録しておくと入力作業を軽減することができ、ユーザーの操作性が向上する。
請求項３記載の発明によれば、選択された宛先の文字列の後ろに所定の符号例えば“．”が存在する場合は次に指定された宛先をその前に指定された宛先の後ろに付加し、メールアドレスを構成する、メールアドレス組み立て構成指定機能を有することにより、よく使う“ｒｉｃｏｈ．”、“ｃｏ．”などを登録しておくと入力作業を軽減することができ、ユーザーの操作性が向上する。
【図面の簡単な説明】
【図１】本発明の実施形態に係るインターネットファクシミリ装置のブロック構成図である。
【図２】本発明の実施形態に係るインターネットファクシミリ装置の制御動作を示すフローチャートである。
【符号の説明】
７    システム制御部（機能実現手段）
１０  ＬＡＮ伝送制御部（送信手段）
【図１】
2004282181.tif 000003
【図２】
2004282181.tif 000004